(57)【要約】      （修正有）【課題】人感センサーを用いた従来の照明制御は，対象エリア内に人がいるかいないかの情報を基に照明機器をＯＮ−ＯＦＦするものであり，人の位置や人数を考慮した制御はなされていない。そのため対象エリア内に一人でも人がいると，そのエリアの照明機器が点灯することとなり，無駄なエネルギーが消費されてしまう。【解決手段】本発明では，室内に設置された作業机５に対しての人の在席検出手段と，机上照明器具７の動作検出手段を設けると共に，室内照度分布算出手段を構成し，これにより算出した照度分布が，在席及び机上照明器具の動作状況に適合する最適照度分布となるように全般照明器具３を制御するので，最少のエネルギーで，最適な照明環境を得ることができる照明制御システムを提供するものである。【選択図】図１
2007184181.tif 000002
【特許請求の範囲】
【請求項１】
複数の全般照明器具を天井に配置すると共に，複数の作業机の夫々に机上照明器具を配置した室内において，複数の全般照明器具を個別制御可能に構成し，各作業机に対応して，人の在席検出手段と，机上照明器具の点灯検出手段を構成すると共に，上記全般照明器具を個別制御可能な制御装置に，上記検出手段からの信号を入力する入力部と，上記各全般照明器具に制御信号を出力する制御出力部と，室内の最適照度分布を導出する最適照度分布導出部と，室内の照度分布算出部とを構成し，制御出力部は，在席検出手段により検出した，人の在席状態に対応する最適な最適照度分布を最適照度分布導出部により導出し，全般照明器具の点灯状態と，動作検出手段により検出した机上照明器具の点灯状態とから，照度分布算出部により室内の照度分布を導出し，この照度分布が最適照度分布と一致するように制御信号を出力して各全般照明器具を制御する構成としたことを特徴とする照明制御システム。
【請求項２】
人の在席検出手段は，ＲＦＩＤ等による位置検知システムにより構成したことを特徴とする請求項１に記載の照明制御システム。
【請求項３】
人の在席検出手段は，作業机に設置されている機器の動作状態により検出する構成としたことを特徴とする請求項１に記載の照明制御システム。
【請求項４】
天井に明かりセンサを複数配置したことを特徴とする請求項１に記載の照明制御システム。
【請求項５】
最適照度分布導出部に，スケジュール制御における最適照度分布を記憶する記憶部を構成していることを特徴とする請求項１に記載の照明制御システム。
【発明の詳細な説明】
【技術分野】
【０００１】
本発明は照明制御システムに関するものである。
【背景技術】
【０００２】
近年，建物の省エネルギー化が進む中，オフィスの照明制御システムにおいても，明かりセンサーにより得られた昼光や人感センサーにより得られた人の存在の情報を照明制御盤に入力して，照明器具，この場合，ベースライトとしての全般照明器具をＯＮ−ＯＦＦしたり，設定照度になるように出力制御をすることが行われている。
【０００３】
例えば，特許文献１，２には人感センサーによる照明制御技術が記載されている。
【特許文献１】特開平８−３２９７３０号公報
【特許文献２】特開２００１−１４３８７７号公報
【発明の開示】
【発明が解決しようとする課題】
【０００４】
１．人感センサーを用いた従来の照明制御は，対象エリア内に人がいるかいないかの情報を基に照明機器をＯＮ−ＯＦＦするものであり，人の位置や人数を考慮した制御はなされていない。そのため対象エリア内に一人でも人がいると，そのエリアの照明機器が点灯することとなり，無駄なエネルギーが消費されてしまう。
２．人感センサー機能が器具毎に設置されている照明機器もあるが，人感センサーによる人の検出範囲は，例えば天井高さが2.8ｍの場合には直径2ｍ以上と広いため，他の照明機器に影響を及ぼし，実際上は，照明機器毎に制御することはできない。また照明器具，この場合，全般照明器具は，人毎の対応として配置されていないため，それをＯＦＦとするためには，対象エリア内に人がいないことを確実に検出しなければならず，人が多い時には，ＯＦＦとなる全般照明器具の数が少なく，従って，夜間や休日等のように，人の少ない時しか省エネ効果が出ていない。
３．オフィスにおいては，机上を局部的に照明するための机上照明器具，即ちタスクライトが設置されており，この机上照明器具には人感センサーを備えたものもあるが，その制御は，人感センサーにより人を検出した時にＯＮとする単独制御であり，全般照明器具との連動制御はまったく行われていない。
本発明は，以上の課題を解決することを目的とするものである。
【課題を解決するための手段】
【０００５】
上述した目的を達成するために，本発明では，複数の全般照明器具を天井に配置すると共に，複数の作業机の夫々に机上照明器具を配置した室内において，複数の全般照明器具を個別制御可能に構成し，各作業机に対応して，人の在席検出手段と，机上照明器具の点灯検出手段を構成すると共に，上記全般照明器具を個別制御可能な制御装置に，上記検出手段からの信号を入力する入力部と，上記各全般照明器具に制御信号を出力する制御出力部と，室内の最適照度分布を導出する最適照度分布導出部と，室内の照度分布算出部とを構成し，制御出力部は，在席検出手段により検出した，人の在席状態に対応する最適な最適照度分布を最適照度分布導出部により導出し，全般照明器具の点灯状態と，動作検出手段により検出した机上照明器具の点灯状態とから，照度分布算出部により室内の照度分布を導出し，この照度分布が最適照度分布と一致するように制御信号を出力して各全般照明器具を制御する構成とした照明制御システムを提案する。
【０００６】
また本発明では，上記の構成において，人の在席検出手段は，ＲＦＩＤ等による位置検知システムにより構成したり，又は作業机に設置されている機器の動作状態により検出する構成とすることを提案する。
【０００７】
また本発明では，上記の構成において，天井に明かりセンサを複数配置することを提案する。
【０００８】
また本発明では，上記の構成において，最適照度分布導出部に，スケジュール制御における最適照度分布を記憶する記憶部を構成することを提案する。
【発明の効果】
【０００９】
本発明の照明制御システムでは，人が作業机に在席しているか否かを在席検出手段により検出することにより，在席している作業机を含む区域の照度を，予め設定された明るい照度とし，在席していない作業机の領域は，その照度以下とする室内の最適照度分布を導出し，この最適照度分布に従って制御出力部により夫々の全般照明器具に制御出力を出力して制御することにより，必要な場所が適切な照度となる照明を最少エネルギーで実現することができる。
【００１０】
この際，本発明では，全般照明器具の点灯状態と，動作検出手段により検出した机上照明器具の点灯状態とから，照度分布算出部により室内の照度分布を算出し，これを上記最適照度分布と照合して，算出した照度分布が最適照度分布と一致するように制御出力部により制御信号を出力して全般照明器具を制御する。
【００１１】
このような制御を行うことにより，机上照明器具が点灯状態の作業机の区域に対しては，対応する全般照明器具を消灯又は減光した上で，作業机の作業面に設定照度を得ることもでき，エネルギー消費を低減することができる。
【００１２】
また本発明では，天井に明かりセンサを複数配置することで，昼光制御を併用することができる。即ち，上述した照度分布算出部による室内の照度分布の算出に際して，明かりセンサにより検出した昼光による照度を加えることにより，昼光に相当する分，全般照明器具を消灯又は減光することができ，こうしてエネルギー消費を更に低減することができる。
【００１３】
また本発明では，最適照度分布導出部に，スケジュール制御における最適照度分布を記憶する記憶部を構成することにより，以上の制御に際して，スケジュール制御，即ち，平日，休日，昼間，夜間等の条件を加味した制御を併用することができる。
【発明を実施するための最良の形態】
【００１４】
次に本発明に係る照明制御システムの実施の形態を図を参照して説明する。
図１は本発明の照明制御システムの全体構成を模式的に示す説明図，図２は図１に示す室の模式的な天井伏図である。
符号１はオフィス等の室を示すもので，この室１はグリッドシステム天井２を有し，この天井２に複数の全般照明器具３（３ａ，３ｂ，…）と明かりセンサ４（４ａ，４ｂ，…）を縦横に配置している。これらの配置のレイアウトは，図２に示す例の他，適宜である。
【００１５】
符号５（５ａ，５ｂ，…）は室１の床６上に配置した複数の作業机であり，これらの作業机５の夫々に机上照明器具７（７ａ，７ｂ，…）を配置している。これらの机上照明器具７も個別制御可能に構成しており，またこれらの机上照明器具７には，例えば通電状態等により，自体の動作状態，即ちＯＮ状態か，ＯＦＦ状態かを出力可能な動作検出手段を構成している。
【００１６】
符号８（８ａ，８ｂ，…）は人を示すもので，これらの人８は，夫々ＲＦＩＤ９（９ａ，９ｂ，…）を携帯しており，そのリーダ／ライタ１０（１０ａ，１０ｂ，…）を夫々の作業机５の近傍に設置して，これらのＲＦＩＤ９とリーダ／ライタ１０により在席検出手段を構成している。
【００１７】
次に図１において符号１１は上記全般照明器具３を個別制御可能な制御装置であり，この制御装置１１は，上記明かりセンサ４からの照度信号，机上照明器具７からの動作状態信号及びリーダ／ライタ１０からの人検出信号を入力する入力部１２と，各全般照明器具３に制御信号を出力する制御出力部１３と，室１内の最適照度分布を導出する最適照度分布導出部１４と，室１内の照度分布を算出する照度分布算出部１５とを構成している。
【００１８】
ここで，最適照度分布導出部１４には，例えば，室１の作業面を縦横に多数に分割した夫々の単位区域毎の設定照度をデータテーブル等により記憶する記憶部１６を構成し，単位区域毎の設定照度の集合として最適照度分布を構成する。
【００１９】
そして最適照度分布導出部１４の記憶部１６に記憶する単位区域毎の設定照度，特に，作業机５等のように，人８が居る場合と，居ない場合において，設定照度を変える着目個所に対応する単位区域については，両方の設定照度を記憶して選択する構成としている。
【００２０】
更に，最適照度分布導出部１４の記憶部１６に記憶する単位区域毎の設定照度は，スケジュール制御における最適照度分布に対応するものとし，平日，休日，昼間，夜間等の条件において夫々異ならせた設定照度を記憶して，スケジュール制御において選択する構成としている。
【００２１】
また照度分布算出部１５は，予め配置が既知の複数の全般照明器具３と机上照明器具７及びその他の照明器具の位置と，それらの照明率や室指数等の設定条件から，例えば，逐点法等の手法を利用して計算する構成とする。
【００２２】
以上の構成において，図１に示すように，図中左側の作業机５ａに関しては，人９が離れているので，リーダ／ライタ１０ａはＲＦＩＤ９を検出せず，従ってリーダ／ライタ１０ａは不在席信号を制御装置１１の入力部１２に出力している。また左側の作業机５ａの机上照明器具７ａは消灯状態であり，動作検出手段は，消灯状態の信号を制御装置１１の入力部１２に出力している。一方，図中右側の作業机５ｂには人８が着席しているので，リーダ／ライタ１０ｂはＲＦＩＤ９を検出して，在席信号を制御装置１１の入力部１２に出力している。また右側の作業机５ｂの机上照明器具７ｂは点灯状態であり，動作検出手段は，点灯状態の信号を制御装置１１の入力部１２に出力している。
【００２３】
このようにＲＦＩＤ９とリーダ／ライタ１０ａとから成る在席検出手段により室１内において人８が在席している作業机５が検出されるので，最適照度分布導出部１４は記憶部１６に記憶されている各区域の設定照度を，在席を条件として選択して，それらの集合により最適照度分布を構成する。
【００２４】
次いで照度分布算出部１５は，最適照度分布導出部１４により導出された最適照度分布に対応して，全般照明器具３の点灯状態を選択すると共に，上記動作検出手段により検出した机上照明器具７の点灯状態とから，照度分布算出部１５により室１内の照度分布を算出する。そして算出した照度分布を上記最適照度分布と照合し，算出した照度分布が最適照度分布と一致するように制御出力部１３により各全般照明器具３に制御信号を出力して，全般照明器具を制御する。
【００２５】
本発明では，このような全般照明器具３の制御を行うことにより，人８が在席している作業机５ｂを含む区域の照度を，予め設定された明るい照度とし，在席していない作業机５ａの領域は，その照度以下とし，更に机上照明器具７ｂが点灯状態の作業机５ｂの区域に対しては全般照明器具３を減光又は消灯した上で，室内の最適照度分布となる照明を最少エネルギーで実現することができる。
【００２６】
またこの実施の形態では，天井に明かりセンサ４を配置しているので，上記照度分布算出部１５による室内の照度分布の算出に際して，明かりセンサ４により検出した昼光による照度を加えることにより，昼光に相当する分，全般照明器具３を減光することができ，こうしてエネルギー消費を更に低減することができる。
【００２７】
ここで，最適照度分布導出部１４の記憶部１６に，スケジュール制御における最適照度分布を記憶することにより，以上の制御において，スケジュール制御，即ち，平日，休日，昼間，夜間等の条件を加味した制御を併用することができる。
【００２８】
尚，以上に説明した実施の形態においては，在席検出手段は，ＲＦＩＤ９と，そのリーダ／ライタ１０とから構成しているが，作業机５に設置されている機器１７の動作状態により検出する構成とすることができる。例えば機器１７が，有線又は無線でのＬＡＮを構成する機器の場合には，機器１７の操作状況をＬＡＮを介して検出して，例えば，操作が所定時間以上されなかった場合に不在席を検出することができる。
【産業上の利用可能性】
【００２９】
本発明に係る照明制御システムは，以上のとおりであるで，次に示すような利点があり，産業上の利用可能性が大である。
ａ．本発明の照明制御システムでは，人が作業机に在席しているか否かを在席検出手段により検出することにより，在席している作業机を含む区域の照度を，予め設定された明るい照度とし，在席していない作業机の領域は，その照度以下とする室内の最適照度分布を導出し，この最適照度分布に従って制御出力部により夫々の全般照明器具に制御出力を出力して制御することにより，必要な場所が適切な照度となる照明を最少エネルギーで実現することができる。
ｂ．そして，本発明の照明制御システムでは，全般照明器具の点灯状態と，動作検出手段により検出した机上照明器具の点灯状態とから，照度分布算出部により室内の照度分布を算出し，これを上記最適照度分布と照合して，算出した照度分布が最適照度分布と一致するように制御出力部により制御信号を出力して全般照明器具を制御することにより，机上照明器具が点灯状態の作業机の区域に対しては，対応する全般照明器具を消灯又は減光した上で，作業机の作業面に設定照度を得ることもでき，エネルギー消費を低減することができる。
ｃ．天井に明かりセンサを複数配置することで，昼光制御を併用することができる。即ち，上述した照度分布算出部による室内の照度分布の算出に際して，明かりセンサにより検出した昼光による照度を加えることにより，昼光に相当する分，全般照明器具を消灯又は減光することができ，こうしてエネルギー消費を更に低減することができる。
ｄ．最適照度分布導出部に，スケジュール制御における最適照度分布を記憶する記憶部を構成することにより，以上の制御に際して，スケジュール制御，即ち，平日，休日，昼間，夜間等の条件を加味した制御を併用することができる。
【図面の簡単な説明】
【００３０】
【図１】本発明に係る照明制御システムの全体構成を模式的に示す説明図である。
【図２】図１に示す室の模式的な天井伏図である。
【符号の説明】
【００３１】
１                          室
２                          天井（グリッドシステム天井）
３（３ａ，３ｂ，…）        全般照明器具
４（４ａ，４ｂ，…）        明かりセンサ
５（５ａ，５ｂ，…）        作業机
６                          床
７（７ａ，７ｂ，…）        机上照明器具
８（８ａ，８ｂ，…）        人
９（９ａ，９ｂ，…）        ＲＦＩＤ
１０（１０ａ，１０ｂ，…）  リーダ／ライタ
１１                        制御装置
１２                        入力部
１３                        制御出力部
１４                        最適照度分布導出部
１５                        照度分布算出部
１６                        記憶部
１７（１７ａ，１７ｂ，…）  機器
【図１】
2007184181.tif 000003
【図２】
2007184181.tif 000004